(57)【要約】【課題】  電池消耗を抑制すること。【解決手段】  報知手段５の電源のみ太陽電池素子６から供給し、その他の電源を一次電池１から供給する。これによって、一次電池１の電池消耗が抑制され、かつ一次電池１により確実に保安機能が動作するという効果が得られる。【選択図】  図１
2005077306.tif 000002
【特許請求の範囲】
【請求項１】
太陽電池素子と、一次電池と、弁と、流量入力部と、制御部と、報知手段を有し、前記太陽電池素子により前記報知手段に電源を供給し、他の構成要素には一次電池により電源を供給するガス遮断装置。
【請求項２】
太陽電池素子と、一次電池と、弁と、流量入力部と、制御部と、通信手段を有し、前記太陽電池素子により前記通信手段に電源を供給し、他の構成要素には一次電池により電源を供給するガス遮断装置。
【請求項３】
太陽電池素子から二次電池に電源を供給し、前記二次電池により報知手段もしくは通信手段に電源を供給する請求項１又は２記載のガス遮断装置。
【請求項４】
太陽電池素子からコンデンサに電源を供給し、前記コンデンサにより報知手段もしくは通信手段に電源を供給する請求項１又は２記載のガス遮断装置。
【発明の詳細な説明】
【技術分野】
【０００１】
本発明は、ガス遮断装置に関し、特にその電源に関するものである。
【背景技術】
【０００２】
従来のこの種のガス遮断装置で太陽電池素子を用いるものは、特開２００２−１６８６７３号公報に示すようなものが一般的であった。この装置は図４に示されているようにガス遮断装置を太陽電池素子もしくは２次電池を利用して、電源として供給するように構成されていた。
【特許文献１】特開２００２−１６８６７３号公報
【発明の開示】
【発明が解決しようとする課題】
【０００３】
しかしながら従来のガス遮断装置は、長期間メンテナンスを行わない保安装置の仕様となっているため、ガス遮断装置全体の電源を太陽電池および２次電池とする場合、設置条件および電池の長期耐久性能など未知の部分が多く、それらの想定できる障害を考慮して設計するとコストが削減できないという課題を有していた。また、ガス遮断装置は想定以上の報知手段による電池消耗が起こると、使用期間を満足できず機能停止しまうという課題を有していた。
【課題を解決するための手段】
【０００４】
本発明は上記課題を解決するために、ガス遮断装置の保安部分となる電源は従来通り一次電池を用いて、報知手段などの電源を太陽電池素子や2次電池として、ガス遮断装置の省エネルギー化および開発コストの削減を行う。
【０００５】
上記発明によれば、報知手段での一次電池の消耗が削減するため、一次電池の容量を小さくすることができ、想定以上の報知手段による使用期間の短縮が実現し、また、保安機能の設計には一次電池を電源に用いるため、確実に保安機能が動作するという効果が得られる。
【発明の効果】
【０００６】
以上のように本発明のガス遮断装置によれば、太陽電池素子と一次電池を併用することで一次電池の消耗が抑制され、かつ、一次電池により保安機能の電源を供給することで、確実に保安機能を動作させることが可能となる。
【発明を実施するための最良の形態】
【０００７】
請求項１に係る発明は、太陽電池素子と、一次電池と、弁と、流量入力部と、制御部と、報知手段を有し、太陽電池素子により報知手段に電源を供給し、他を一次電池により電源を供給するガス遮断装置であり、前記報知手段の電源を前記一次電池が供給しなくなったことより前記一次電池の電池消耗が削減される。
【０００８】
請求項２に係る発明は、太陽電池素子と、一次電池と、弁と、流量入力部と、制御部と、通信手段を有し、太陽電池素子により通信手段に電源を供給し、他を一次電池により電源を供給するガス遮断装置であり、前記通信手段の電源を前記一次電池が供給しなくなったことより前記一次電池の電池消耗が削減される。
【０００９】
請求項３に係る発明は、請求項１、２において、太陽電池素子から2次電池に電源を供給し、二次電池により報知手段もしくは通信手段に電源を供給するガス遮断装置であり、太陽電池素子による電源を二次電池により充電することにより、太陽電池素子にて電源を供給できない場合にも報知手段および通信手段の電源を供給することができる。
【００１０】
請求項４に係る発明は、請求項１、２において、太陽電池素子からコンデンサに電源を供給し、コンデンサにより報知手段もしくは通信手段に電源を供給するガス遮断装置であり、太陽電池素子による電源をコンデンサにより充電することにより、太陽電池素子にて電源を供給できない場合にも報知手段および通信手段の電源を供給することができる。
【００１１】
以下、本発明の具体的な実施の形態について図面を用いて説明する。
【００１２】
（実施の形態１）
図１は本発明の実施の形態１のガス遮断装置のブロック図である。図１において、一次電池１が流量入力部２、制御部３、弁４に電源を供給する。流量入力部２より流量を検知して制御部３に流量信号Ｎ１を出力する。制御部３が前記流量信号Ｎ１を受け取ると流量が任意に設定した流量かを判定し、設定した流量を超えていれば弁４に弁閉出力信号Ｎ２を出力する。弁３が弁閉出力信号Ｎ２を受け取ると弁を閉じる。制御部３は前記弁４に信号を出力するとともに報知手段５に報知信号Ｎ３を出力する。報知手段５は、太陽電池素子６から電源を供給されていれば報知信号Ｎ３を受け取ると報知する。なお、太陽電池素子６は、自然光もしくは人工的な光（たとえば懐中電灯）を照射することにより報知手段５への電源供給が可能となる。なお、太陽電池素子６は太陽電池でもかまわない。
【００１３】
上記実施の形態により、報知手段の電源の供給のみを太陽電池素子で行うことで、流量判定などの保安機能のみの電池消費となり一次電池消耗を削減し、かつ一次電池を保安機能に用いることで確実に保安機能を動作させることが可能である。
【００１４】
また、報知手段は、本来は内部に持たせる電池の容量のみを基準に設計されていたが、太陽電池素子より電源供給することで一次電池の容量以上の電力供給も可能となり、報知能力を向上させることができる。
【００１５】
（実施の形態２）
図２は本発明の実施の形態２のガス遮断装置のブロック図である。図２において、一次電池１が流量入力部２、制御部３、弁４に電源を供給する。流量入力部２より流量を検知して制御部３に流量信号Ｎ１を出力する。制御部３が流量信号Ｎ１を受け取ると流量が任意に設定した流量かを判定し、設定した流量を超えていれば弁４に弁閉出力信号Ｎ２を出力する。弁３が弁閉出力信号Ｎ２を受け取ると弁を閉じる。通信手段７は、太陽電池素子６から電源を供給されていれば外部より通信信号を受け取ると通信受信信号Ｎ４を制御部３に出力する。制御部３は、通信受信信号Ｎ４を受け取ると、受け取った信号に応答した通信送信信号Ｎ５を通信手段７に出力する。通信送信信号Ｎ５を通信手段７が受け取ると外部と通信を行う。なお、太陽電池素子６は、自然光もしくは人工的な光（たとえば懐中電灯）を照射することにより報知手段５への電源供給が可能となる。なお、太陽電池素子６は太陽電池でもかまわない。
【００１６】
上記実施の形態により、通信手段の電源の供給のみを太陽電池素子で行うことで、流量判定などの保安機能のみの電池消費となり一次電池の消耗を防ぎ、かつ一次電池を保安機能に用いることで確実に保安機能を動作させることが可能である。
【００１７】
また、通信手段は、本来は内部に持たせる電池の容量のみを基準に設計されていたが、太陽電池素子より電源供給することで一次電池の容量以上の電力供給も可能となり、外部との通信手段に光通信および赤外線通信など、送信および受信に電力が必要な通信手法を用いることが可能となる。
【００１８】
（実施の形態３）
図３は本発明の実施の形態３のガス遮断装置のブロック図である。図３において、一次電池１が流量入力部２、制御部３、弁４に電源を供給する。流量入力部２より流量を検知して制御部３に流量信号Ｎ１を出力する。制御部３が流量信号Ｎ１を受け取ると流量が任意に設定した流量かを判定し、設定した流量を超えていれば前記弁４に弁閉出力信号Ｎ２を出力する。弁３が前記弁閉出力信号Ｎ２を受け取ると弁を閉じる。制御部３は弁４に信号を出力するとともに報知手段５に報知信号Ｎ３を出力する。報知手段５は、二次電池８から電源を供給されていれば報知信号Ｎ３を受け取ると報知する。二次電池は、太陽電池素子６から電源を供給され充電される。
【００１９】
なお、太陽電池素子６は自然光もしくは人工的な光（たとえば懐中電灯）を照射することにより二次電池８への電源供給が可能となる。通信手段７は、二次電池８から電源を供給されていれば外部より通信信号を受け取ると通信受信信号Ｎ４を制御部３に出力する。制御部３は、通信受信信号Ｎ４を受け取ると、受け取った信号に応答した通信送信信号Ｎ５を通信手段７に出力する。通信送信信号Ｎ５を通信手段７が受け取ると外部と通信を行う。なお、二次電池８をコンデンサに置き換えて電源と用いてもよい。なお、太陽電池素子６は太陽電池でもかまわない。
【００２０】
上記実施の形態により、通信手段および報知手段の電源の供給を太陽電池素子で充電する二次電池で行うことで、流量判定などの保安機能のみの電池消費となり一次電池の消耗を防ぎ、かつ一次電池を保安機能に用いることで確実に保安機能を動作させることが可能である。また、通信手段および報知手段は、本来は内部に持たせる電池の容量のみを基準に設計されていたが、太陽電池素子で充電する二次電池により電源供給することで一次電池の容量以上の電力供給も可能となり、報知手段は報知機能を向上させることができ、通信手段は送信および受信に電力が必要な通信手法を用いることが可能となる。また、太陽電池素子の電源を二次電池によって充電し、二次電池を介して電源を供給することで、報知手段および通信手段の電源の安定化が可能となり、さらに、自然光および人工的な光がない場合でも電源を供給することが可能となる。
【産業上の利用可能性】
【００２１】
本発明にかかるガス遮断装置は、太陽電池素子と一次電池を併用して一次電池の消耗を抑制するような技術分野等の用途にも適用できる。
【図面の簡単な説明】
【００２２】
【図１】本発明の実施の形態１におけるガス遮断装置のブロック図
【図２】本発明の実施の形態２におけるガス遮断装置のブロック図
【図３】本発明の実施の形態３におけるガス遮断装置のブロック図
【図４】従来のガス遮断装置のブロック図
【符号の説明】
【００２３】
１  一次電池
２  流量入力部
３  制御部
４  弁
５  報知手段
６  太陽電池素子
７  通信手段
８  二次電池
【図１】
2005077306.tif 000003
【図２】
2005077306.tif 000004
【図３】
2005077306.tif 000005
【図４】
2005077306.tif 000006